(57)【特許請求の範囲】
【請求項１】
通気可能に構成された吸湿体が、その一部が除湿対象空気の通流する除湿領域となり、他部が再生用気体の通流する再生領域となり、且つ、各部が前記除湿領域と前記再生領域とに順次代わるように設けられ、
除湿対象域から除湿対象空気を吸気して、前記吸湿体の除湿領域を通過させた後に除湿対象域に送気する除湿用送風手段と、
前記再生用気体を加熱する加熱手段の加熱作用域、前記再生領域、前記再生用気体を冷却してその再生用気体に含まれる水分を凝縮させて分離する冷却手段の冷却作用域の順に通る循環経路で、前記再生用気体を循環させる循環用送風手段とが設けられた除湿装置であって、
吸湿作用すると共に前記再生用気体の通流により脱湿再生可能な可搬式の除湿体を再生のために着脱自在に支持する支持部が、前記再生用気体が通流するように設けられ、
前記支持部が、前記循環経路における前記加熱手段の加熱作用域よりも下流側で前記再生領域よりも上流側の位置に設けられ、
前記吸湿体としての除湿用ロータが、前記除湿領域、前記再生領域、及び、前記冷却手段にて冷却された再生用空気の通流により前記除湿用ロータが冷却される冷却領域に跨る状態で回転されるように設けられており、
前記循環用送風手段が、前記加熱手段の加熱作用域、前記再生領域、前記冷却手段の冷却作用域、前記冷却領域の順に通る循環経路で、再生用気体を循環させるように構成されている除湿装置。
【発明の詳細な説明】
【０００１】
【発明の属する技術分野】
本発明は、通気可能に構成された吸湿体が、その一部が除湿対象空気の通流する除湿領域となり、他部が再生用気体の通流する再生領域となり、且つ、各部が前記除湿領域と前記再生領域とに順次代わるように設けられ、
除湿対象域から除湿対象空気を吸気して、前記吸湿体の除湿領域を通過させた後に除湿対象域に送気する除湿用送風手段と、
前記再生用気体を加熱する加熱手段の加熱作用域、前記再生領域、前記再生用気体を冷却してその再生用気体に含まれる水分を凝縮させて分離する冷却手段の冷却作用域の順に通る循環経路で、前記再生用気体を循環させる循環用送風手段とが設けられた除湿装置に関する。
【０００２】
【従来の技術】
かかる除湿装置は、吸湿体の各部が、除湿領域と再生領域とに順次代わりながら、除湿領域においては、通過する除湿対象空気中の水分を吸湿して除湿対象空気を除湿し、再生領域においては、冷却手段にて水分が分離されると共に加熱手段にて加熱された高温低湿の再生用気体の通過により吸湿体が脱湿再生されることにより、除湿対象域から吸気した除湿対象空気を除湿して除湿対象域に送気することを継続して行えるようにして、除湿対象域を除湿するようになっている。
除湿装置で除湿する除湿対象域としては、例えば、部屋等の居住空間や、湿気を嫌う物品の保管室がある。
【０００３】
従来は、除湿装置以外に、吸湿作用を有する可搬式の除湿体があった。この可搬式の除湿体は任意の箇所に設置して、その箇所を除湿するものであり、通常は、除湿装置にて除湿された除湿空気が送気される除湿対象域以外の箇所、一般家庭においては、例えば、タンスや押し入れ等の除湿用として用いるものである。
この可搬式の除湿体は、飽和状態になって吸湿能力が低下すると廃棄する使い捨て状態になっていた。
又、除湿装置は、従来は、除湿対象域の除湿機能のみを備えるように構成されていた。
【０００４】
【発明が解決しようとする課題】
しかしながら、従来は、可搬式の除湿体は使い捨て状態であるため、除湿装置の除湿対象域以外の箇所も含めた除湿にかかわる経費が高くなるという問題があった。例えば、一般家庭においては、居住空間及び居住空間以外のタンスや押し入れ等を含めた除湿にかかわる経費が高くなるという問題があった。
【０００５】
本発明は、かかる実情に鑑みてなされたものであり、その目的は、除湿にかかわる経費を軽減し得る除湿装置を提供することにある。
【０００６】
【課題を解決するための手段】
〔請求項１記載の発明〕
請求項１に記載の特徴構成は、吸湿作用すると共に前記再生用気体の通流により脱湿再生可能な可搬式の除湿体を再生のために着脱自在に支持する支持部が、前記再生用気体が通流するように設けられていることにある。
【０００７】
請求項１に記載の特徴構成によれば、除湿装置を除湿対象域に設置して運転すると、吸湿体の各部が、除湿領域と再生領域とに順次代わりながら、除湿領域においては、通過する除湿対象空気中の水分を吸湿して除湿対象空気を除湿し、再生領域においては、冷却手段にて水分が分離されると共に加熱手段にて加熱された高温低湿の再生用気体の通過により吸湿体が脱湿再生されることにより、除湿対象域から吸気した除湿対象空気を除湿して除湿対象域に送気することが継続して行われて、除湿対象域が除湿される。
可搬式の除湿体は、通常は、吸湿体で除湿された除湿空気が送気される除湿対象域以外の箇所、一般家庭においては、例えば、タンスや押し入れ等に設置して、設置箇所の除湿を行う。
可搬式の除湿体を支持部に支持すると、可搬式の除湿体を再生用気体が通流して、可搬式の除湿体が脱湿されて再生されるので、可搬式の除湿体は繰り返し使用することができる。
従って、除湿にかかわる経費、例えば、一般家庭においては、居住空間及び居住空間以外のタンスや押し入れ等を含めた除湿にかかわる経費を軽減し得る除湿装置を提供することができるようになった。
【０００８】
しかも、可搬式の除湿体を脱湿再生するにしても、その作業としては、可搬式の除湿体を支持部に支持する作業と支持部から取り外す作業だけで済むので、可搬式の除湿体を脱湿再生する手間がほとんど掛からない。
【０００９】
また、請求項１に記載の特徴構成は、前記支持部が、前記循環経路における前記加熱手段の加熱作用域よりも下流側で前記再生領域よりも上流側の位置に設けられていることにある。
【００１０】
請求項１に記載の特徴構成によれば、既設の循環経路において、加熱手段の加熱作用域よりも下流側で再生領域よりも上流側の位置に、支持部を設けるだけの簡単な構成で本発明を実施することができる。
ちなみに、循環経路に、再生用気体を導き出すためのバイパス路を接続し、そのバイパス路に支持部を設ける構成が想定されるが、この場合は、構成が複雑になる。
従って、請求項１に記載の特徴構成によれば、本発明の実施コストを低減することができる。
【００１１】
【発明の実施の形態】
〔参考実施形態〕
以下、図１、図３及び図４に基づいて、参考の実施の形態を説明する。
図４に示すように、除湿装置は、除湿対象域Ｒ内に設置し、吸気口１０から除湿対象域Ｒの空気を吸気し、その吸気空気を除湿した後、吹出し口１１から吹出すことにより、除湿対象域Ｒを除湿する。
【００１２】
本発明においては、除湿装置に、吸湿作用すると共に後述する再生用気体の通流により脱湿再生可能な可搬式の除湿体（以下、除湿具と称する場合がある）Ｄを脱湿再生するために支持する支持部Ｈを、再生用気体が通流するように設けてある。
そして、除湿具Ｄを、支持部の挿入口３３から挿入して支持部Ｈに支持させることにより、除湿具Ｄを脱湿再生することができる。
【００１３】
図１に示すように、除湿装置は、筐体１の内部に、通気可能に構成した吸湿体としての除湿用ロータ２を、その周方向における一部が除湿対象空気の通流する除湿対象空気通流域Ａｄに位置し、他部が再生用気体としての再生用空気が通流する再生用空気通流域Ａｒに位置する状態で回転されるように設けてある。
又、筐体１の内部に、除湿対象域Ｒから除湿対象空気を吸気して、除湿対象空気通流域Ａｄを通過させて除湿した後、除湿対象域Ｒに送気する除湿用送風機４（除湿用送風手段に相当する）と、再生用空気を加熱する電気ヒータ３（加熱手段に相当する）の加熱作用域、再生用空気通流域Ａｒ、再生用空気を冷却してその再生用空気に含まれる水分を凝縮させて分離する冷却部Ｃ（冷却手段に相当する）の冷却作用域の順に通る循環経路Ｌで再生用空気を循環させる循環用送風機５（循環用送風手段に相当する）と、除湿装置の制御を司る制御部６等を備えてある。
【００１４】
従って、除湿用ロータ２において、除湿対象空気通流域Ａｄ内に位置する部分が除湿領域２ｄとなり、再生用空気通流域Ａｒ内に位置する部分が再生領域２ｒとなり、除湿用ロータ２の各部が除湿領域２ｄと再生領域２ｒとに順次代わるようになっている。
【００１５】
除湿用ロータ２は、回転軸芯Ｐ方向での通気が可能なハニカム状の基材に、吸湿剤（シリカゲルや塩化リチウム等）を保持して構成し、その除湿用ロータ２を、除湿対象空気通流域Ａｄ及び再生用空気通流域Ａｒに跨る状態で、モータ８によって回転軸芯Ｐ周りに回転駆動されるように設けてある。
【００１６】
除湿対象空気が除湿用ロータ２を回転軸芯Ｐの方向に通過して通流する除湿対象空気通流域Ａｄ、及び、再生用空気が除湿用ロータ２を回転軸芯Ｐの方向に通過して通流する再生用空気通流域Ａｒを区画形成する通流域形成部材９を設けてある。
【００１７】
筐体１に、除湿対象域Ｒの空気を吸い込む吸気口１０と、吸い込んだ空気を除湿対象域Ｒに吹出す吹出し口１１を形成し、筐体１の内部に、吸気口１０から吸い込まれた除湿対象域Ｒの空気を、除湿対象空気通流域Ａｄを通過してから吹出し口１１から除湿対象域Ｒに吹出されるように案内する除湿用流路１２を形成し、除湿用送風機４は、その除湿用流路１２に通風作用するように設けてある。
【００１８】
筐体１の内部に、再生用空気を、電気ヒータ３における加熱作用域、再生用空気通流域Ａｒ、冷却部Ｃにおける冷却作用域を順に通る循環経路Ｌにて通流するように案内する循環用流路１３を形成し、循環用送風機５は、その循環用流路１３に通風作用するように設けてある。
電気ヒータ３は、再生用空気の循環経路Ｌにおける、冷却部Ｃにおける冷却作用域よりも下流側で、再生用空気通流域Ａｒよりも上流側の位置において、循環用流路１３を通流する再生用空気を加熱するように設けてある。
【００１９】
図３に示すように、除湿具Ｄは、一つの面３０ａを板状に、その他の面を多孔板状に形成したケーシング３０内に、吸湿剤として粒状シリカゲル（図示せず）を充填して構成してある。ケーシング３０の板状面３０ａには、把持用の把手３１を付設してある。
【００２０】
図１及び図３に基づいて、支持部Ｈについて説明を加える。
支持部Ｈは、循環経路Ｌにおける電気ヒータ３の加熱作用域よりも下流側で再生用空気通流域Ａｒよりも上流側の位置に設けてある。
循環用流路１３において支持部Ｈを設ける部分を、筐体１の内面に近接して設け、筐体１と循環用流路１３を形成する流路形成部材３２とに、除湿具Ｄ挿入用の挿入口３３として機能させる矩形状の開口部を重なる状態で形成してある。
そして、支持部Ｈは、４本の角柱状の支持部材３４を、夫々、挿入口３３の各角部付近から流路横断方向に延びる状態で、流路形成部材３２の内面に付設して構成してある。
更に、挿入口３３には、閉じ側に付勢され、且つ、挿入される除湿具Ｄにより押し広げられる両開き式の扉３５を設けてある。
【００２１】
図３の（イ）に示すように、除湿具Ｄを挿入していない状態では、扉３５によって挿入口３３が閉じられるので、循環用流路１３を再生用空気が漏れの無い状態で通流する。
図３の（ロ）に示すように、除湿具Ｄを挿入口３３から循環用流路１３内に挿入すると、除湿具Ｄは４本の支持部材３４にて循環用流路１３内に支持されると共に、挿入口３３が除湿具Ｄのケーシング３０の板状面３０ａにて閉じられる。
従って、冷却部Ｃにて水分が凝縮分離され、電気ヒータ３にて加熱された高温低湿の再生用空気が、ケーシング３０をその多孔板状部を通じて通過するので、ケーシング３０内の粒状シリカゲルが脱湿再生される。
【００２２】
冷却部Ｃについて説明を加える。
冷却部Ｃは、再生用空気を除湿対象空気通流域Ａｄに通流させる除湿対象空気と熱交換させて冷却する気体−気体熱交換部２３（以下、空冷式熱交換部と記載する場合がある）、及び、再生用空気を冷却水と熱交換させて冷却する気体−液体熱交換部７（以下、水冷式熱交換部と称する場合がある）を備えて、それら空冷式熱交換部２３及び水冷式熱交換部７を用いて再生用空気を冷却するように構成しある。
更に、再生用空気から分離した凝縮水を冷却水として水冷式熱交換部７に供給する凝縮水ポンプ２４を備えて構成してある。
【００２３】
説明を加えると、冷却部Ｃは、空冷部形成用筐体４１内に、空気供給ヘッダ４２と水冷部形成用筐体４３を、空気供給ヘッダ４２が上方に位置する状態で上下方向に間隔を隔てて配設し、水冷部形成用筐体４３内に、隔壁４７により、貯水室４４及び空気排出兼凝縮水貯留室４５を上側から順に上下方向に並ぶ状態で区画形成し、並びに、複数の空気通流管４６を、貯水室４４を上下方向に貫通して、空気供給ヘッダ４２及び空気排出室４５夫々に連通接続して設けることにより、構成してある。
【００２４】
そして、冷却部Ｃを、循環用流路１３における再生用空気通流域Ａｒから電気ヒータ３における加熱作用域に至る部分の途中に、空気供給ヘッダ４２に循環用流路１３の上流側が連通接続され、空気排出室４５に循環用流路１３の下流側が連通接続される状態で設けてある。
又、除湿用流路１２における除湿対象空気通流域Ａｄよりも上流側部分の途中に、空冷部形成用筐体４１を接続して、除湿用流路１２を通流する除湿対象空気が空冷部形成用筐体４１を通流してから、除湿対象空気通流域Ａｄに供給されるようにしてある。
従って、空冷部形成用筐体４１及び空気通流管４６により、空冷式熱交換部２３を構成し、水冷部形成用筐体４３及び空気通流管４６により、水冷式熱交換部７を構成してある。
【００２５】
空気排出兼凝縮水貯留室４５の下部と貯水室４４の下部とを凝縮水供給路２５にて接続し、空気排出兼凝縮水貯留室４５に貯留されている凝縮水を冷却水として貯水室４４に供給すべく、その凝縮水供給路２５に凝縮水ポンプ２４を設けてある。
冷却水排出路１５を、貯水室４４内の冷却水としての凝縮水をオーバーフロー状態で排出すべく、貯水室４４の上部に接続し、排水タンク１９を、冷却水排出路１５を通じて排出される凝縮水を受けて貯留するように設けてある。
又、空気排出兼凝縮水貯留室４５に貯留される凝縮水の水位が設定水位になったことを検出する水位センサ２６を設けてある。
【００２６】
排水タンク１９を保温して、排水タンク１９内に貯留されている水から除湿対象域Ｒへの放熱を抑制する断熱材２２を設けてある。又、断熱材４８を、空冷部形成用筐体４１の外周を覆うように設けて、冷却部Ｃから除湿対象域Ｒへの放熱を抑制している。
【００２７】
次に、除湿装置の作用について説明する。
モータ８を作動させて除湿用ロータ２を回転させ、電気ヒータ３を作動させ、並びに、除湿用送風機４及び循環用送風機５を作動させる。
ちなみに、除湿用ロータ２の回転速度は、例えば、１回／３分間程度に設定する。
すると、除湿用送風機４の通風作用により、除湿対象域Ｒの除湿対象空気が、吸気口１０から吸気されて除湿対象空気通流域Ａｄ内を通過し、そこを通過するときに、除湿対象空気に含まれる水分が、除湿対象空気通流域Ａｄ内に位置する除湿用ロータ２に保持されている吸湿剤に吸湿されて除湿され、そのように除湿された除湿空気が、吹出し口１１から除湿対象域Ｒに吹出されて、除湿対象域Ｒが除湿される。
【００２８】
除湿用ロータ２において、除湿対象空気通流域Ａｄに位置して吸湿した部分が、再生用空気通流域Ａｒに移動すると、高温低湿の再生用空気の通過によって加熱されて、除湿用ロータ２に吸湿されていた水分が放出されて、除湿用ロータ２が再生される。
そして、除湿用ロータ２において脱湿再生された部分が、除湿対象空気通流域Ａｄへ移動して、そこで除湿対象空気に除湿作用することになる。
【００２９】
再生用空気は、循環用送風機５の通風作用により、電気ヒータ３における加熱作用域、再生用空気通流域Ａｒ、冷却部Ｃにおける冷却作用域を順に通る循環経路Ｌにて循環する。
再生用空気通流域Ａｒを通過して高湿となった再生用空気は、冷却部Ｃの空気通流管４６を通流するときに、空冷部形成用筐体４１を通流する除湿対象空気及び貯水室３４内の冷却水により冷却され、再生用空気に含まれる水分が凝縮して分離される。冷却部Ｃにて冷却されて水分が分離された再生用空気は、電気ヒータ３にて加熱されて高温低湿状態となって再生用空気通流域Ａｒを通流し、そこで、除湿用ロータ２に対して吸湿作用する。
冷却部Ｃで再生用空気から分離された凝縮水は、空気通流管４６を流下して、空気排出兼凝縮水貯留室４５に貯留される。
【００３０】
そして、水位センサ２６が空気排出兼凝縮水貯留室４５内の凝縮水の水位が前記設定水位になったことを検出すると、凝縮水ポンプ２４を作動させる。すると、空気排出兼凝縮水貯留室４５内の凝縮水が貯水室４４の下部から供給され、それに伴って、貯水室４４内の高温の凝縮水がオーバーフロー状態で冷却水排出路１５を通じて排出されるので、貯水室４４内の冷却水としての凝縮水の温度が低下する。
【００３１】
除湿装置の運転中に、除湿具Ｄを挿入口３３から挿入して支持部Ｈに支持することにより、除湿具Ｄを高温低湿の再生用空気の通過により脱湿再生することができる。
【００３２】
制御部６の制御作動について説明する。
制御部６は、水位センサ２６が前記設定水位になったことを検出すると、凝縮水ポンプ２４を凝縮水ポンプ作動用の設定時間の間作動させる
前記凝縮水ポンプ作動用の設定時間は適宜設定することができるが、例えば、空気排出兼凝縮水貯留室４５内の凝縮水の略全量を貯水室４４に供給することができるような時間に設定する。
【００３３】
この除湿装置では、空冷式熱交換部２３と水冷式熱交換部７の協働により、再生用空気から効率良く水分を凝縮させて分離することができるので、除湿能力を一層向上することができる。
又、冷却水を補給する手間が省けるので、使い勝手が一層良くなる。
【００３４】
〔本発明の実施形態〕
以下、図２に基づいて、本発明の実施の形態を説明する。
本発明の実施形態においては、除湿用ロータ２の回転方向において再生用空気通流域Ａｒよりも下手側で除湿対象空気通流域Ａｄよりも上手側の位置に、冷却部Ｃにて冷却された再生用空気の通流する冷却用空気通流域Ａｃを設け、循環用送風機５を、電気ヒータ３における加熱作用域、再生用空気通流域Ａｒ、冷却部Ｃにおける冷却作用域、冷却用空気通流域Ａｃを順に通る循環経路Ｌで、再生用空気を循環させるように構成してある。除湿用ロータ２において、冷却用空気通流域Ａｃ内に位置する部分が、冷却部Ｃにて冷却された再生用空気の通流により除湿用ロータ２が冷却される冷却領域２ｃとなる。
【００３５】
除湿用ロータ２は、除湿対象空気通流域Ａｄ、再生用空気通流域Ａｒ及び冷却用空気通流域Ａｃに跨る状態で、モータ８によって回転軸芯Ｐ周りに回転駆動されるように設けてある。
通流域形成部材９は、除湿用ロータ２の回転方向において、再生用空気通流域Ａｒよりも下流側で除湿対象空気通流域Ａｄよりも上流側に位置に、冷却用空気通流域Ａｃを区画形成するように構成してある。
【００３６】
循環用流路１３は、再生用空気を、電気ヒータ３における加熱作用域、再生用空気通流域Ａｒ、冷却部Ｃにおける冷却作用域、冷却用空気通流域Ａｃを順に通る循環経路Ｌにて通流案内するように構成してある。
電気ヒータ３は、再生用空気の循環経路Ｌにおける、冷却用空気通流域Ａｃよりも下流側で、再生用空気通流域Ａｒよりも上流側の位置において、循環用流路１３を通流する再生用空気を加熱するように設けてある。
【００３７】
支持部Ｈは、図３に示すように、上記の参考実施形態と同様に構成して、循環経路Ｌにおける電気ヒータ３の加熱作用域よりも下流側で再生用空気通流域Ａｒよりも上流側の位置に設けてある。
【００３８】
冷却部Ｃについて説明を加える。
冷却部Ｃは、再生用空気を冷却水と熱交換させて冷却する水冷式熱交換部７と、冷却水を貯留する冷却水タンク１７と、その冷却水タンク１７から冷却水を水冷式熱交換部７に供給する冷却水供給路１４と、その冷却水供給路１４に設けた冷却水ポンプ１８と、水冷式熱交換部７から冷却水を排出する冷却水排出路１５と、水冷式熱交換部７にて分離された凝縮水を排出する凝縮水排出路１６と、冷却水排出路１５を通じて排出される冷却水及び凝縮水排出路１６を通じて排出される凝縮水を受けて貯留する排水タンク１９とを備えて構成してある。
【００３９】
水冷式熱交換部７について説明を加える。
水冷式熱交換部７は、筐体３１内に、２枚の隔壁３２により、空気供給室３３、貯水室３４及び空気排出室３５を、上側から順に上下方向に並ぶ状態で区画形成すると共に、複数の空気通流管３６を、貯水室３４を上下方向に貫通し且つ空気供給室３３及び空気排出室３５に連通するように、２枚の隔壁３２にわたって設けて構成してある。
そして、水冷式熱交換部７を、循環用流路１３における再生用空気通流域Ａｒから冷却用空気通流域Ａｃに至る部分の途中に、空気供給室３３に循環用流路１３の上流側が連通接続され、空気排出室３５に循環用流路１３の下流側が連通接続される状態で設けてある。
【００４０】
冷却水タンク１７内の冷却水を貯水室３４にその下部から供給すべく、冷却水供給路１４は、冷却水タンク１７と貯水室３４の下部とに接続してある。
貯水室３４内の冷却水をオーバーフロー状態で排出すべく、冷却水排出路１５は、貯水室３４の上部に接続し、水冷式熱交換部７にて分離された凝縮水を排出すべく、凝縮水排出路１６は、空気排出室３５の底部に接続してある。
【００４１】
図中の５０は、空気排出室３５と凝縮水排出路１６との接続口を開閉するフロートであり、このフロート５０は、空気排出室３５の凝縮水の貯留量が所定量以下のときは、前記接続口を閉じ、所定量を越えると浮いて前記接続口を開くようになっていて、再生用空気が凝縮水排出路１６に流入するのを防止しながら、空気排出室３５の凝縮水が凝縮水排出路１６へ流入するのを許容するようにしてある。
【００４２】
又、貯水室３４内の冷却水の温度を検出する温度センサ２０を設けてある。
又、水冷式熱交換部７を保温して、水冷式熱交換部７から除湿対象域Ｒへの放熱を抑制する断熱材３７、冷却水タンク１７を保温して、冷却水タンク１７内の冷却水の温度上昇や冷却水タンク１７表面での結露を抑制する断熱材２１、及び、排水タンク１９を保温して、排水タンク１９内に貯留されている水から除湿対象域Ｒへの放熱を抑制する断熱材２２を設けてある。
【００４３】
次に、除湿装置の作用について説明する。
除湿用送風機４の通風作用により、除湿対象域Ｒの除湿対象空気が、吸気口１０から吸気されて除湿対象空気通流域Ａｄ内を通過し、そこを通過するときに、除湿対象空気に含まれる水分が、除湿対象空気通流域Ａｄ内に位置する除湿用ロータ２に保持されている吸湿剤に吸湿されて除湿され、そのように除湿された除湿空気が、吹出し口１１から除湿対象域Ｒに吹出されて、除湿対象域Ｒが除湿される。
【００４４】
除湿用ロータ２において、除湿対象空気通流域Ａｄに位置して吸湿した部分が、再生用空気通流域Ａｒに移動すると、高温低湿の再生用空気の通過によって加熱されて、除湿用ロータ２に吸湿されていた水分が放出されて、除湿用ロータ２が再生される。
除湿用ロータ２において、再生用空気通流域Ａｒに位置して再生された部分は、昇温しているが、その部分は、冷却用空気通流域Ａｃに移動することにより、冷却部Ｃでの冷却により除湿並びに降温された低温低湿の再生用空気が通過するので、冷却される。
そして、除湿用ロータ２において再生並びに冷却された部分が、除湿対象空気通流域Ａｄへ移動して、そこで除湿対象空気に除湿作用することになる。
【００４５】
再生用空気は、循環用送風機５の通風作用により、電気ヒータ３における加熱作用域、再生用空気通流域Ａｒ、冷却部Ｃにおける冷却作用域、冷却用空気通流域Ａｃを順に通る循環経路Ｌにて循環する。
再生用空気通流域Ａｒを通過して高湿となった再生用空気は、水冷式熱交換部７の空気通流管３６を通流するときに、貯水室３４内の冷却水により冷却され、再生用空気に含まれる水分が凝縮して分離される。水冷式熱交換部７にて冷却されて水分が分離された再生用空気は冷却用空気通流域Ａｃを通流してから、更に、電気ヒータ３にて加熱されて高温低湿状態となって再生用空気通流域Ａｒを通流し、そこで、除湿用ロータ２に対して吸湿作用する。
水冷式熱交換部７にて再生用空気から分離された凝縮水は、水冷式熱交換部７の空気排出室３５の底部から凝縮水排出路１６を通じて排出され、排水タンク１９に貯留される。
【００４６】
従って、除湿用ロータ２再生用の熱及び除湿対象空気中の水分の凝縮熱を冷却水に吸熱させること、除湿用ロータ２の再生領域２ｒとなった部分に与えられた再生用の熱を、その部分が除湿領域２ｄになる前の冷却領域２ｃのときに再生用空気に対して放熱させること、水冷式熱交換部７から除湿対象域Ｒへの放熱が断熱材３７により抑制されること、及び、排水タンク１９から除湿対象域Ｒへの放熱が断熱材２２により抑制されることの相乗効果により、除湿対象域Ｒ内の昇温を効果的に抑制することができる。
【００４７】
水冷式熱交換部７の貯水室３４内の冷却水は、再生用空気との熱交換により昇温するので、温度センサ２０の検出温度が所定の温度に達すると、冷却水ポンプ１８を作動させる。すると、冷却水タンク１７内の低温の冷却水が貯水室３４の下部から供給されることに伴って、貯水室３４内の高温の冷却水がオーバーフロー状態で冷却水排出路１５を通じて排出されるので、貯水室３４内の冷却水の温度が低下する。
冷却水排出路１５を通じて排出された冷却水は、排水タンク１９に凝縮水と共に貯留される。
【００４８】
冷却水タンク１７には、例えば、水道水を貯留する。
あるいは、冷却水タンク１７に、冷蔵庫等で冷やした水を貯留したり、冷却水タンク１７に氷を入れて貯留冷却水を冷やすと、除湿能力を一層向上することができる。
排水タンク１９内の水は、使用者が適宜捨てる。
【００４９】
制御部６の制御作動について説明する。
制御部６は、温度センサ２０の検出温度が予め設定した設定温度以上になると、冷却水ポンプ１８を冷却水ポンプ作動用の設定時間の間作動させる。
前記冷却水ポンプ作動用の設定時間は適宜設定することができるが、例えば、貯水室３４内の冷却水の略全量を冷却水タンク１７内の冷却水に交換することができるように設定する。
【００５０】
〔別実施形態〕
次に別実施形態を説明する。
（イ）  除湿具Ｄの具体構成は、上記の各実施形態において例示した構成に限定されるものではない。
例えば、ハニカム状体や多孔状体を基材として、その基材に吸湿剤を保持させる構成でも良い。
又、吸湿剤そのものを、通気可能な多孔状に成形する構成としても良い。
除湿具Ｄの形状も、種々に変更することができる。
吸湿剤は、空気中の水分を吸着するシリカゲル、活性アルミナ、合成ゼオライト、活性炭等の吸着剤、あるいは、空気中の水分を吸収する塩化リチウムや塩化カルシウム等の吸収剤を初め、吸湿性を有し、且つ、再生用気体による脱湿再生が可能なものであれば種々のものを採用することができる。
【００５１】
（ロ）  支持部Ｈの具体構成は、上記の各実施形態において例示した構成に限定されるものではなく、除湿具Ｄを再生用空気の通過が可能な状態で循環用流路１３内に支持できる構成であれば、種々の構成を採用することができる。
【００５４】
（ハ）  上記の参考及び本発明の各実施形態において、排水タンク１９を省略して、冷却水排出路１５を通じて直接排水しても良い。
上記の本発明の実施形態において、冷却水タンク２１を省略して、冷却水供給路１４に水道管を接続すると共に、冷却水供給路１４に開閉弁を設け、その開閉弁の操作により、水道水を冷却水として水冷式熱交換部７に供給するように構成しても良い。この場合は、冷却水を補給する手間が省けるので、使い勝手が一層良くなる。
【００５５】
（ニ）  加熱手段の具体構成としては、上記の各実施形態において例示した電気ヒータ３に限定されるものではなく、例えば、ガスバーナでも良い。
（ホ）  上記の参考実施形態において、本発明の実施形態と同様に、冷却用空気通流域Ａｃを設けても良い。
【００５６】
（ヘ）  上記の各実施形態において、冷却部Ｃを、再生用空気を除湿対象空気通流域Ａｄに通流させる除湿対象空気と熱交換させて冷却する空冷式熱交換部２３のみで構成しても良い。
【００５７】
（ト）  上記の参考実施形態においては、空冷式熱交換部２３及び水冷式熱交換部７を、空冷式熱交換部２３が水冷式熱交換部７よりも上流側に位置する状態で循環用流路１３に設ける場合について例示したが、図５に示すように、水冷式熱交換部７が空冷式熱交換部２３よりも上流側に位置する状態で循環用流路１３に設けてもよい。この場合は、上流側に位置する水冷式熱交換部７で先に、再生用空気を冷却するので、参考実施形態に比べて、除湿用ロータ２再生用の熱、及び、除湿体対象空気中の水分の凝縮熱が除湿対象空気に放熱されるのを抑制することができる。従って、除湿対象域Ｒの昇温を一層抑制することができる。
【００５８】
水冷式熱交換部７は、貯水室５１と、その貯水室５を上下方向に貫通する状態で設けた複数の空気通流管５２にて構成してある。
空冷式熱交換部２３は、除湿対象空気を通流させる除湿対象空気通流室５３と、その除湿対象空気通流室５３を上下方向に貫通する状態で設けた複数の上流側空気通流管５４と、その除湿対象空気通流室５３を上下方向に貫通する状態で設けた複数の下流側空気通流管５５にて構成してある。
【００５９】
水冷式熱交換部７の空気通流管５２の上端開口に連通する空気供給室５６、水冷式熱交換部７の空気通流管５２の下端開口と空冷式熱交換部２３の上流側空気通流管５４の下端開口とを連通すると共に凝縮水を貯留する凝縮水貯留室５７、上流側空気通流管５４の上端開口と下流側空気通流管５５の上端開口とを連通する連通室５８、下流側空気通流管５５の下端開口に連通すると共に、凝縮水貯留室５７の上方に位置して、底部に凝縮水貯留室５７に連通する連通開口５９ａを備えた空気排出室５９を設けてある。
図５中の５０は、空気排出室５９の連通開口５９ａを開閉するフロートであり、このフロート５０は、空気排出室５９の凝縮水の貯留量が所定量以下のときは、連通開口５９ａを閉じ、所定量を越えると浮いて連通開口５９ａを開くようになっていて、再生用空気が凝縮水貯留室５７に流入するのを防止しながら、空気排出室５９の凝縮水を凝縮水貯留室５７へ移すように構成してある。
【００６０】
そして、循環用流路１３の上流側を空気供給室５６に接続し、循環用流路１３の下流側を空気排出室５９に接続して、再生用空気が、空気供給室５６、水冷式熱交換部７の空気通流管５２、凝縮水貯留室５７、空冷式熱交換部２３の上流側空気通流管５４、連通室５８、下流側空気通流管５５、空気排出室５９を順に通流するように構成してある。
又、除湿用流路１２における除湿対象空気通流域Ａｄよりも上流側部分の途中に、除湿用空気通流室５３を接続して、除湿用流路１２を通流する除湿対象空気が除湿用空気通流室５３を通流してから、除湿対象空気通流域Ａｄに供給されるようにしてある。
【００６１】
凝縮水貯留室５７の下部と貯水室５１の下部とを凝縮水供給路２５にて接続し、凝縮水貯留室５７に貯留されている凝縮水を冷却水として水冷式熱交換部７に供給すべく、その凝縮水供給路２５に凝縮水ポンプ２４を設けてある。
冷却水排出路１５は、貯水室５１内の冷却水としての凝縮水をオーバーフロー状態で排出すべく、貯水室５１の上部に接続してある。
又、凝縮水貯留室５７に貯留される凝縮水の水位が設定水位になったことを検出する水位センサ２６を設けてある。
【００６２】
（チ）  吸湿体の具体構成は、上記の実施形態において例示した構成に限定されるものではない。
例えば、通気可能な多孔状体を基材として、その多孔状体に吸湿剤を保持させる構成でも良い。
あるいは、吸湿剤そのものを、通気可能な多孔状に成形する構成としても良い。
吸湿体で用いる吸湿剤は、除湿具Ｄにおいて用いる吸湿剤と同様に、種々のものを採用することができる。
【００６３】
（リ）  再生用気体としては、空気以外のものを使用しても良い。又、液状冷却媒体としては、水以外のものを使用しても良い。
【図面の簡単な説明】
【図１】  参考実施形態にかかる除湿装置の全体構成を示すブロック図
【図２】  本発明の実施形態にかかる除湿装置の全体構成を示すブロック図
【図３】  支持部の構成を示す斜視図
【図４】  除湿装置の外観図
【図５】  別実施形態にかかる冷却部の構成を示す縦断面図
【符号の説明】
２    吸湿体
２ｄ  除湿領域
２ｒ  再生領域
３    加熱手段
４    除湿用送風手段
５    循環用送風手段
Ｃ    冷却手段
Ｄ    可搬式の除湿体
Ｌ    循環経路
Ｈ    支持部
Ｒ    除湿対象域
【図１】
0003916343.tif 000002
【図２】
0003916343.tif 000003
【図３】
0003916343.tif 000004
【図４】
0003916343.tif 000005
【図５】
0003916343.tif 000006